(57)【要約】【課題】複数の電話番号を搭載した無線通信端末で、利用する複数の電話番号毎にプリペイド残高を管理する。【解決手段】情報制御部１８５は、接触インタフェース１８６が複数の電話番号情報を受信すると、該電話番号情報を電話番号情報記憶部１８１に記憶する。また、接触インタフェース１８６がサービスデータを受信すると、該サービスデータのプリペイド残高情報を記憶する領域をサービスデータ記憶部１８４に複数確保する。そして、該サービスデータのプリペイド残高情報を記憶する領域のアドレスを、電話番号情報記憶部１８１に記憶した電話番号ごとにサービスデータ管理情報記憶部１８３に記憶する。【選択図】図３
2007267207.tif 000002
【特許請求の範囲】
【請求項１】
複数の電話番号が割り当てられ、支払い機能を有する無線通信端末であって、
所定の記憶媒体に記憶された複数の電話番号のうち、一の電話番号を待受電話番号に設定する待受番号設定手段と、
非接触通信により外部装置と通信して、所定の料金を、前記待受番号設定手段で待受番号に設定された電話番号にもとづいて支払う支払手段と、
前記支払手段の支払い金額を電話番号ごとに管理する支払金額管理手段と、
を備えることを特徴とする無線通信端末。
【請求項２】
前記支払金額管理手段は、電話番号ごとに予め設定された貨幣的価値を示す数値から前記支払手段の支払い金額を減算することを特徴とする請求項１に記載の無線通信端末。
【請求項３】
前記支払金額管理手段は、予め設定された貨幣的価値を示す数値が前記支払手段の支払い金額より小さい場合、他の電話番号の貨幣的価値を示す数値から前記支払い金額を減算することを特徴とする請求項２に記載の無線通信端末。
【請求項４】
前記支払金額管理手段は、電話番号ごとに予め設定された与信価値を示す数値から前記支払手段の支払い金額を減算することを特徴とする請求項１に記載の無線通信端末。
【請求項５】
前記外部装置は、自動改札機であって、
前記支払手段は、非接触通信により前記自動改札機と通信して、前記自動改札機の改札処理に応じた料金を、前記待受番号設定手段で待受番号に設定された電話番号ごとに支払うことを特徴とする請求項１乃至４のいずれか１項に記載の無線通信端末。
【請求項６】
前記記憶媒体は無線通信端末に着脱可能に構成される加入者識別カードであることを特徴とする請求項１乃至５のいずれか１項に記載の無線通信端末。
【請求項７】
複数の電話番号が割り当てられ、支払い機能を有するコンピュータに、
所定の記憶媒体に記憶された複数の電話番号のうち、一の電話番号を待受電話番号に設定する待受番号設定機能、
非接触通信により外部装置と通信して、所定の料金を、前記待受番号設定機能により待受番号に設定された電話番号ごとに支払う支払機能、
前記支払機能による支払い金額を電話番号ごとに管理する支払金額管理機能、
を実現させるためのプログラム。
【発明の詳細な説明】
【技術分野】
【０００１】
本発明は、無線通信端末、及び、プログラムに関する。
【背景技術】
【０００２】
近年、非接触通信によって改札処理するＩＣ（Integrated Circuit）カード類を接続または搭載した通信端末が提案されている。
【０００３】
例えば、特許文献１の通信端末は、非接触通信によって改札処理するＩＣカード類を接続または搭載し、改札処理時にＩＣカード類に記憶された情報を受け取り、端末を自動的に制御する機能を備え、改札時に定期券の残期限やプリペイド残金額を自動的に表示させる。
【０００４】
特許文献１の通信端末では、通信端末で複数の電話番号を利用する場合に、電話番号毎にプリペイド残高を管理することは不可能であった。
【特許文献１】特開２００４−１７８４７１号公報
【発明の開示】
【発明が解決しようとする課題】
【０００５】
本発明は、上記実情に鑑みてなされたもので、複数の電話番号を搭載した無線通信端末で非接触通信によってサービス料金を支払うときに、使い勝手のよい無線通信端末、及び、プログラムを提供することを目的とする。
【課題を解決するための手段】
【０００６】
本発明の第１の観点に係る無線通信端末は、複数の電話番号が割り当てられ、支払い機能を有する無線通信端末であって、
所定の記憶媒体に記憶された複数の電話番号のうち、一の電話番号を待受電話番号に設定する待受番号設定手段と、
非接触通信により外部装置と通信して、所定の料金を、前記待受番号設定手段で待受番号に設定された電話番号にもとづいて支払う支払手段と、
前記支払手段の支払い金額を電話番号ごとに管理する支払金額管理手段と、
を備えることを特徴とする。
【０００７】
例えば、前記支払金額管理手段は、電話番号ごとに予め設定された貨幣的価値を示す数値から前記支払手段の支払い金額を減算してもよい。
【０００８】
例えば、前記支払金額管理手段は、予め設定された貨幣的価値を示す数値が前記支払手段の支払い金額より小さい場合、他の電話番号の貨幣的価値を示す数値から前記支払い金額を減算してもよい。
【０００９】
例えば、前記支払金額管理手段は、電話番号ごとに予め設定された与信価値を示す数値から前記支払手段の支払い金額を減算してもよい。
【００１０】
例えば、前記外部装置は、自動改札機であって、
前記支払手段は、非接触通信により前記自動改札機と通信して、前記自動改札機の改札処理に応じた料金を、前記待受番号設定手段で待受番号に設定された電話番号ごとに支払ってもよい。
【００１１】
例えば、前記記憶媒体は無線通信端末に着脱可能に構成される加入者識別カードであってもよい。
【００１２】
本発明の第２の観点に係るプログラムは、複数の電話番号が割り当てられ、支払い機能を有するコンピュータに、
所定の記憶媒体に記憶された複数の電話番号のうち、一の電話番号を待受電話番号に設定する待受番号設定機能、
非接触通信により外部装置と通信して、所定の料金を、前記待受番号設定機能により待受番号に設定された電話番号ごとに支払う支払機能、
前記支払機能による支払い金額を電話番号ごとに管理する支払金額管理機能、
を実現させるためのプログラムであることを特徴とする。
【発明の効果】
【００１３】
本発明によれば、複数の電話番号を搭載した無線通信端末で、利用する複数の電話番号ごとに支払い金額を管理することが可能となる。
【発明を実施するための最良の形態】
【００１４】
（実施形態１）
本発明の実施形態に係る非接触ＩＣを備える無線通信端末１００について、図面を参照して説明する。
【００１５】
無線通信端末１００は、例えば、ＳＩＭ（Subscriber Identity Module）やＵＩＭ（User Identity Module）などの加入者識別カードを用いることにより、複数の電話番号が利用可能な無線通信端末である。無線通信端末１００は、携帯電話であってもよいしＰＨＳ（Personal Handyphone System）であってもよい。
【００１６】
無線通信端末１００は、図１に示すように、操作部１１０と、表示部１２０と、音声処理部１３０と、通信部１４０と、制御部１５０と、記憶部１６０と、カードインタフェース１７０と、非接触ＩＣ部１８０と、から構成される。
【００１７】
操作部１１０は、無線通信端末１００の外面上に構成されたボタンやキーなどからユーザの操作を受け付ける。操作部１１０は、ユーザの操作に応じた入力信号を制御部１５０に入力する。
【００１８】
表示部１２０は、制御部１５０の制御信号に基づき、各種画面を表示する。
【００１９】
音声処理部１３０は、無線通信端末１００の通話機能などにかかる音声の処理をする。音声処理部１３０は、マイクロフォン１３２から音声の入力を受け、デジタル変換した音声信号を制御部１５０の制御のもと、通信部１４０に送出する。また、制御部１５０の制御のもと、通信部１４０からデジタル音声信号の入力を受け、アナログ変換してスピーカ１３１により出力する。
【００２０】
通信部１４０は、アンテナ１４１を介して通信網から音声信号を受信する。通信部１４０は、音声処理部１３０から受信した音声信号を、アンテナ１４１を介して通信網へ送信する。また、通信部１４０は、データ通信機能にかかる通信を制御し、例えば、ウェブサイトへのアクセスや電子メールの送受信をおこなう。
【００２１】
制御部１５０は、無線通信端末１００の各部の動作を制御する。制御部１５０は、記憶部１６０に格納されているプログラムに基づき、各処理を実行する。なお、無線通信端末１００の各構成はそれぞれ制御部１５０と接続されており、各構成間でのデータ授受などは制御部１５０を介しておこなわれるものとする。
【００２２】
記憶部１６０は、制御部１５０が実行する動作プログラムを格納する他、本発明を実現するために必要な種々のデータを格納する。本実施形態では、図２に示すように、電話番号情報格納領域１６１、プログラム格納領域１６２、などの記憶領域が構成される。
【００２３】
電話番号情報格納領域１６１は、後述するカードインタフェース１７０に装着されたＵＩＭ１７１、１７２に記録されている電話番号情報に基づいて、無線通信端末１００が利用可能な電話番号情報を格納する領域である。すなわち、ＵＩＭ１７１、１７２の挿抜に応じて、電話番号情報が追加・削除される。
【００２４】
本実施形態では、複数の電話番号のうちから選択された１つを利用可能状態（待受状態）とする。よって、待受状態に選択された電話番号は、待受識別フラグがＯＮされる。待受識別フラグは、０または１の２値データにより示されるものとし、フラグ値「１」がＯＮであることを示し、フラグ値「０」がＯＦＦであることを示すものとする。
【００２５】
プログラム格納領域１６２は、制御部１１０が実行するプログラムを格納するための領域である。プログラム格納領域１６２には、無線通信端末１００全体の動作を制御するための基本ソフトウエア（いわゆる、ＯＳなど）や、無線通信端末１００の種々の機能を実現するためのアプリケーションソフトウェアなどが格納される。
【００２６】
カードインタフェース１７０は、ＵＩＭを無線通信端末１００に複数装着するためのスロット部や、装着したＵＩＭと電気信号を送受するための端子部などから構成される。
【００２７】
本実施形態にかかるＵＩＭ１７１、１７２には、例えば、無線通信端末１００を提供する通信事業者などによって承認・発行された認証情報が記録されるものであり、当該ＵＩＭ１７１、１７２の契約者によって利用可能な電話番号情報が記録される。本実施形態では、１枚のＵＩＭにつき、１つの電話番号情報が格納されるものとする。
【００２８】
非接触ＩＣ部１８０には、所定の業者などが提供するサービスに対する支払い機能を複数登録することができる。そして、所定の業者などが提供する外部のリーダライタとの非接触通信により各種サービスに応じて支払い処理をする。該支払い処理は、予め入金（チャージ）したプリペイド金額から減額してもよいし、予め登録したクレジットカードなどの与信枠より減額してもよい。
【００２９】
また、非接触ＩＣ部１８０は、無線通信端末１００に固定されるものであってもよいし、着脱可能な非接触ＩＣカードによって構成してもよい。
【００３０】
非接触ＩＣ部１８０は、図３に示すように、電話番号情報記憶部１８１と、サービスデータ管理制御部１８２と、サービスデータ管理情報記憶部１８３と、サービスデータ記憶部１８４と、情報制御部１８５と、接触インタフェース１８６と、非接触インタフェース１８７と、アンテナ部１８８と、から構成される。
【００３１】
電話番号情報記憶部１８１は、電話番号情報格納領域１６１と同期して、無線通信端末１００が利用可能な複数の電話番号情報を格納する領域である。
具体的には、図４（ａ）に示すような、電話番号と、その識別番号と、待受識別フラグと、に対応付けた電話番号情報テーブルで記憶する。
【００３２】
待受状態に選択された電話番号は、待受識別フラグがＯＮされる。待受識別フラグは複数の電話番号から択一的にＯＮされ、選択された電話番号以外はＯＦＦになる。待受識別フラグは、０または１の２値データにより示されるものとし、フラグ値「１」がＯＮであることを示し、フラグ値「０」がＯＦＦであることを示すものとする。待受識別フラグの値は、電話番号情報記憶部１８１と電話番号情報格納領域１６１とで同一の値となる。
【００３３】
サービスデータ管理制御部１８２は、サービスデータ管理情報記憶部１８３を制御し、料金情報（プリペイド残高・与信枠）などのサービスデータを管理する。
【００３４】
サービスデータ管理情報記憶部１８３は、無線通信端末１００で利用可能なサービスを記憶する。具体的には、図４（ｂ）に示すような、サービス種別と、複数使用フラグと、電話番号の識別番号と、料金情報が格納されるアドレスと、を対応付けたサービスデータ管理テーブルで記憶する。
無線通信端末１００で利用可能なサービスは、ユーザにより任意に追加・削除できる。その都度、サービスデータ管理テーブルは更新される。
【００３５】
本実施形態では、一のサービスについて料金情報を電話番号ごとに管理するか否かの設定が可能である。料金情報を電話番号ごとに管理する設定のとき、複数使用フラグがＯＮされる。複数使用フラグは、０または１の２値データにより示されるものとし、フラグ値「１」がＯＮであることを示し、フラグ値「０」がＯＦＦであることを示すものとする。
【００３６】
図４（ｂ）の例では、サービスＡとＣは料金情報を電話番号ごとに管理し、サービスＢは一括管理する設定になっている。
【００３７】
また、ここで記憶する電話番号の識別番号は、電話番号情報記憶部１８１のものと同一である。
【００３８】
サービスデータ記憶部１８４は、サービスごとの料金情報を記憶する。図４（ｃ）に示すように、サービスごと電話番号ごとに所定のアドレスの所定の領域に料金情報を記憶する。このアドレスは、サービスデータ管理情報記憶部１８３のアドレスと対応する。
【００３９】
情報制御部１８５は、非接触ＩＣ部１８０を制御するためのプログラムを格納し、該プログラムに基づきの各部の動作を制御する。
例えば、制御部１５０から接触インタフェース１８６を介して、電話番号情報や待受状態を取得し、電話番号情報記憶部１８１に記憶する。
また、非接触インタフェース１８７がサービスデータを受信すると、電話番号情報記憶部１８１、サービスデータ管理制御部１８２、サービスデータ管理情報記憶部１８３、サービスデータ記憶部１８４、を制御してサービス及び使用中の電話番号に応じた入出金処理をおこなう。
【００４０】
接触インタフェース１８６は、制御部１５０と必要なデータをやりとりする。
【００４１】
非接触インタフェース１８７は、アンテナ部１８８を介して外部のリーダライタと非接触通信により、サービスデータ（認証データ、サービス種別、料金の入出金データ等）をやりとりする。
【００４２】
本実施形態では、制御部１５０がプログラムを実行することによって、上記機能構成が論理的に実現されるものとするが、これらの機能を、例えば、ＡＳＩＣ（Application Specific Integrated Circuit：特定用途向け集積回路）などの物理的な構成によって実現してもよい。
【００４３】
なお、上記各構成は、無線通信端末１００によって本発明を実現するために必要な主要な構成であり、無線通信端末１００として必要なその他の構成については、必要に応じて備えられているものとする。
【００４４】
次に、上記構成の無線通信端末１００の動作を、図面を参照しながら説明する。
【００４５】
先ず、非接触ＩＣ部１８０の電話番号情報記憶部１８１に電話番号情報テーブルを生成する動作について説明する。
【００４６】
無線通信端末１００の電源がＯＮされた場合、又は、ＵＩＭの追加やユーザの操作により電話番号が切り換わった場合、制御部１５０と情報制御部１８５とが、図５に示す、電話番号情報テーブル生成処理を実行する。
【００４７】
先ず、制御部１５０は、電話番号情報格納領域１６１から無線通信端末１００で利用可能な電話番号情報を取得する（ステップＳ１０１）。この電話番号情報には、待受識別フラグが含まれ、現在使用中の電話番号を識別可能である。
【００４８】
そして、制御部１５０は、取得した電話番号情報を非接触ＩＣ部１８０に送出する（ステップＳ１０２）。
【００４９】
非接触ＩＣ部１８０の接触インタフェース１８６が電話番号情報を受信すると、情報制御部１８５は、該電話番号情報から電話番号情報記憶部１８１に電話番号情報テーブルを作成又は更新する（ステップＳ１０３）。各電話番号には、その識別番号が振られる。また、待受識別フラグの値を受信した値と同期させる。
【００５０】
ステップＳ１０３が終了すると、情報制御部１８５は制御部１５０に終了を通知し、制御部１５０と情報制御部１８５とは電話番号データ生成処理を終了する。
【００５１】
以上のようにして、非接触ＩＣ部１８０に無線通信端末１００で利用可能な電話番号情報を記憶することができる。また、非接触ＩＣ部１８０で、待受識別フラグを格納するので、使用中の電話番号の判別も可能となる。
【００５２】
次に、無線通信端末１００で利用するサービスを登録する場合に、非接触ＩＣ部１８０に料金情報を記憶する領域とサービスデータ管理テーブルとを生成する動作について説明する。
【００５３】
非接触ＩＣ部１８０に新たなサービスを登録するため、通信部１４０を介してネットワークから該サービスのアプリケーションを記憶部１６０にダウンロードして該アプリケーションによるサービスの登録操作をすると、制御部１５０と情報制御部１８５とは、図６に示す、サービス追加処理を実行する。
該アプリケーションは、非接触ＩＣ部１８０にサービスを登録したり、残高情報の表示等をするためのアプリケーションである。
【００５４】
先ず、制御部１５０は、該アプリケーションからサービスデータを取得する（ステップＳ２０１）。
【００５５】
制御部１５０は、非接触ＩＣ部１８０に取得したサービスデータを送出する（ステップＳ２０２）。
【００５６】
非接触ＩＣ部１８０の接触インタフェース１８６がサービスデータを受信すると、情報制御部１８５は、サービスデータ記憶部１８４に該サービスの料金情報を記憶するための領域を確保する（ステップＳ２０３）。
【００５７】
そして、情報制御部１８５は、サービスデータ管理情報記憶部１８３のサービスデータ管理テーブルに新たなサービス種別を登録する（ステップＳ２０４）。このとき、ステップＳ２０３で確保した領域のアドレスを、サービス種別に対応付けて記憶する。
この時点では、図４（ｂ）のサービスＢのように、複数使用フラグは「０」で、電話番号の識別番号は記憶しない。
【００５８】
ステップＳ２０４が終了すると、終了通知を制御部１５０に送出する（ステップＳ２０５）。
【００５９】
終了通知を受信すると制御部１５０は、サービスを電話番号ごとに利用するか否かの選択をユーザに促す画面を、表示部１２０に表示させる（ステップＳ２０６）。
【００６０】
サービスを電話番号ごとに利用することが選択されなかった場合（ステップＳ２０７；Ｎｏ）、サービス追加処理を終了する。
【００６１】
サービスを電話番号ごとに利用することが選択された場合（ステップＳ２０７；Ｙｅｓ）、その旨を非接触ＩＣ部１８０に通知する（ステップＳ２０８）。
【００６２】
非接触ＩＣ部１８０の接触インタフェース１８６が、サービスを電話番号ごとに利用する通知を受信すると、情報制御部１８５は、サービスデータ記憶部１８４に今回追加されるサービスの料金情報を記憶するための領域をさらに確保する（ステップＳ２０９）。
【００６３】
そして、情報制御部１８５は、サービス管理情報記憶部１８３のサービスデータ管理テーブルを、電話番号情報記憶部１８１の電話番号情報テーブルに基づき作成する（ステップＳ２１０）。このとき、ステップＳ２０３とステップＳ２１０とで確保した領域のアドレスをサービス種別と電話番号の識別番号とに対応付けて記憶する。また、複数使用フラグをＯＮする。
【００６４】
ステップＳ２１０が終了すると、情報制御部１８５は制御部１５０に終了を通知し、制御部１５０と情報制御部１８５とはサービス追加処理を終了する。
【００６５】
以上のようにして、非接触ＩＣ部１８０にサービスデータを追加することができる。また、ユーザの選択によりサービスを電話番号ごとに利用するように設定できる。これにより、電話番号ごとにサービスに対する料金の支払い、電話番号ごとに支払い金額を管理することが可能になる。
【００６６】
なお、サービスを電話番号ごとに利用するか否かの設定は、操作部１１０の所定の操作によって、任意のタイミングでできるようにしてもよい。
【００６７】
続いて、所定のリーダライタに無線通信端末１００をかざしてサービスを利用するときのプリペイド残高又は与信枠からの料金の支払い、又は、プリペイド残高に入金（チャージ）する場合の、非接触ＩＣ部１８０の料金情報を更新する動作について説明する。
【００６８】
非接触ＩＣ部１８０の情報制御部１８５は、非接触インタフェース１８７が外部のリーダライタからアンテナ部１８８を介して非接触通信信号を受信すると、図７に示す、料金情報更新処理を実行する。
【００６９】
先ず、情報制御部１８５は、リーダライタからサービスデータ（認証データ、サービス種別、料金の入出金データ等）を受信する（ステップＳ３０１）。
【００７０】
そして、サービスデータ管理情報記憶部１８３のサービスデータ管理テーブルを参照し、受信したサービス種別は電話番号ごとに利用するものであるか否かを判別するため、該サービス種別の複数使用フラグが「１」であるか判別する（ステップＳ３０２）。
【００７１】
複数使用フラグが「１」であった場合（ステップＳ３０２；Ｙｅｓ）、電話番号情報記憶部１８１の電話番号情報テーブルの待受識別フラグを参照する。そして、待受識別フラグが「１」である現在使用中の電話番号の識別番号を取得する（ステップＳ３０３）。
【００７２】
そして、サービスデータ管理テーブルを参照し、受信したサービス種別とステップＳ３０３で取得した識別番号とから料金情報（プリペイド残高・与信枠）が記憶されているアドレスを取得する（ステップＳ３０４）。
【００７３】
ステップＳ３０４でアドレスを取得すると、サービスデータ記憶部１８４の該アドレスの料金情報をリーダライタから受信した入出金データを用いて更新する（ステップＳ３０６）。
【００７４】
一方、複数使用フラグが「０」であった場合（ステップＳ３０２；Ｎｏ）、該サービスデータに対応する料金情報は一括管理されているので、使用中の電話番号を識別することなく、サービスデータ管理テーブルの対応するアドレスを取得する（ステップＳ３０５）。
【００７５】
そして、サービスデータ記憶部１８４の該アドレスの料金情報をリーダライタから受信した入出金データを用いて更新する（ステップＳ３０６）。更新が終了すると、外部リーダライタに所定の応答信号を送出する。
【００７６】
以上のようにしてサービス種別に応じて電話番号ごとに料金情報を更新することができる。
【００７７】
これにより、無線通信端末１００で用途別に複数の電話番号を使用する際に、その用途別に料金の支払いや入金をすることができ、利便性が向上する。例えば、仕事とプライベートとで異なる電話番号を使用している場合などである。
【００７８】
次に、料金情報更新処理の具体例として、改札処理のサービスを利用する場合の具体例を、図７を用いて説明する。
【００７９】
この場合、サービスデータ記憶部１８４の料金情報には予めチャージされたプリペイド残高が記憶される。外部のリーダライタは、図８に示すように、自動改札機２００を利用する。
【００８０】
無線通信端末１００を自動改札機２００にかざすと、自動改札機は所定のサービスデータを送出する。無線通信端末１００の非接触ＩＣ部１８０のアンテナ部１８８から非接触インタフェース１８７がそのサービスデータを受信する。情報制御部１８５は、非接触インタフェース１８７からそのサービスデータを受信する（ステップＳ３０１）。
【００８１】
そして、情報制御部１８５は、図４（ｂ）に示す、サービスデータ管理テーブルを参照する。ここで自動改札機による改札処理のサービスはサービスＡであるとする。サービスＡを参照すると、複数使用フラグが「１」である（ステップＳ３０２；Ｙｅｓ）。そうすると、図４（ａ）に示す、電話番号情報記憶部１８１の電話番号情報テーブルを参照し、待受識別フラグが「１」である電話番号の識別番号を取得する（ステップＳ３０３）。ここでは、識別番号「０１」を取得する。
【００８２】
続いて、サービスデータ管理テーブルを参照し、サービスＡの識別番号「０１」のアドレスを取得する（ステップＳ３０４）。
【００８３】
最後に、サービスデータ記憶部１８４の該当アドレスのプリペイド残高を自動改札機２００から受信したサービスデータを用いて減額する（ステップＳ３０６）。その後、アンテナ部１８８から所定の応答信号を自動改札機２００に送出して自動改札機による改札処理が終了する。
【００８４】
（実施形態２）
本発明の他の実施形態として、料金情報としてプリペイド残高を用いる場合において、非接触ＩＣ部１８０から支払いをするときに、一方の電話番号のプリペイド残高が不足した場合は、他方の電話番号のプリペイド残高から出金する（相互補填する）設定を可能にしてもよい。
【００８５】
図９に示すように、サービスデータ管理情報記憶部１８３の記憶内容に、相互補填許可フラグを追加することで実現可能である。
相互補填許可フラグは、プリペイド残高を電話番号ごとに管理する設定の場合において、プリペイド残高の相互補填を許可する設定であるとき、相互補填許可フラグがＯＮされる。相互補填許可フラグは、０または１の２値データにより示されるものとし、フラグ値「１」がＯＮであることを示し、フラグ値「０」がＯＦＦであることを示すものとする。
【００８６】
そして、例えば、図１０に示すように、図７の料金情報更新処理において残高不足を判別して（ステップＳ３０７）、残高不足であった場合（ステップＳ３０７；Ｙｅｓ）、相互補填処理（ステップＳ３０８）を実行する。
【００８７】
相互補填処理を図１１に示す。相互補填処理では、先ず、現在利用しようとしているサービス種別の複数使用フラグが「１」であるか否かを判別する（ステップＳ４０１）。
【００８８】
複数使用フラグが「０」であった場合は（ステップＳ４０１；Ｎｏ）、補填する残高データが存在しないので不足残高を補填できず、相互補填処理を終了する。
【００８９】
複数使用フラグが「１」であった場合（ステップＳ４０１；Ｙｅｓ）、現在利用しようとしているサービス種別の相互補填許可フラグが「１」であるか否かを判別する（ステップＳ４０２）。
【００９０】
相互補填許可フラグが「０」であった場合は（ステップＳ４０２；Ｎｏ）、不足残高を補填せず、相互補填処理を終了する。
【００９１】
相互補填許可フラグが「１」であった場合は（ステップＳ４０２；Ｙｅｓ）、電話番号情報記憶部１８１の電話番号情報テーブルの待受識別フラグを参照する。そして、待受識別フラグが「０」である現在使用中ではない電話番号の識別番号を取得する（ステップＳ４０３）。
【００９２】
そして、サービスデータ管理情報記憶部１８３のサービスデータ管理テーブルを参照し、該当するサービス種別とステップＳ４０３で取得した識別番号とからプリペイド残高が記憶されているアドレスを取得する（ステップＳ４０４）。
【００９３】
ステップＳ４０４でアドレスを取得すると、取得したアドレスのプリペイド残高データをリーダライタから受信した出金データを用いて更新する（ステップＳ４０５）。更新が終了すると、外部リーダライタに所定の応答信号を送出する。
【００９４】
以上の動作により、一方の電話番号のプリペイド残高が不足した場合は、他方の電話番号のプリペイド残高から出金する（相互補填する）ことができる。
【００９５】
なお、この発明は上記実施形態に限定されず、種々の変形及び応用が可能である。
【００９６】
例えば、プリペイド残高の入金は、上記実施形態のように外部のリーダライタからだけではなく、ネットワークからも可能である。その場合、通信部１４０からネットワークを利用してサービスセンター等にアクセスし、予めクレジットカード情報を登録する。そして、操作部１１０の所定の操作によりネットワークから入金情報を取得したときに、図７に示す、料金情報更新処理を実行するようにすればよい。
この場合に、サービスセンター等に電話番号ごとにクレジットカード情報を登録できるようにすれば使用している番号により異なる口座から入金することができる。
【００９７】
上記実施形態における無線通信端末１００では、ＵＩＭ１７１、１７２によって電話番号を複数理由可能としていたが、それに限定されず、ＵＩＭ１７１、１７２はＳＩＭカードやその他のＩＣカードによってもよい。また、記憶部１６０に複数の電話番号を格納してもよい。また、１枚のＵＩＭ１７１に複数の電話番号が登録されている構成としてもよく、この場合、無線通信端末１００に装着した１枚のＵＩＭ１７１に格納されている複数の電話番号を利用可能としてもよい。
【００９８】
また、上記実施形態では、制御部１５０が実行するプログラムは、予め記憶部１６０のプログラム格納領域１６２に記憶されていたが、通信網を介してプログラム格納領域１６２に記憶するようにしてもよい。
【図面の簡単な説明】
【００９９】
【図１】本発明の実施形態に係る無線通信端末の構成を示すブロック図である。
【図２】記憶部の構成を説明するためのブロック図である。
【図３】非接触ＩＣ部の構成を示すブロック図である。
【図４】非接触ＩＣ部の各部の記憶内容を示す図であって、（ａ）は電話番号情報記憶部、（ｂ）はサービスデータ管理情報記憶部、（ｃ）はサービスデータ記憶部の記憶内容を示す図である。
【図５】電話番号情報テーブル生成処理の動作を説明するためのフローチャートである。
【図６】サービス追加処理の動作を説明するためのフローチャートである。
【図７】料金情報更新処理の動作を説明するためのフローチャートである。
【図８】料金情報更新の具体例を説明するための図である。
【図９】実施形態２のサービスデータ管理情報記憶部の記憶内容を示す図である。
【図１０】実施形態２の料金情報更新処理の動作を説明するためのフローチャートである。
【図１１】図１０に示す相互補填処理の動作を説明するためのフローチャートである。
【符号の説明】
【０１００】
１００…無線通信端末、１１０…操作部、１２０…表示部、１３０…音声処理部、１３１…スピーカ、１３２…マイクロフォン、１４０…通信部、１４１…アンテナ、１５０…制御部、１６０…記憶部、１６１…電話番号情報格納領域、１６２…プログラム格納領域、１７０…カードインタフェース、１７１、１７２…ＵＩＭ、１８０…非接触ＩＣ部、１８１…電話番号情報記憶部、１８２…サービスデータ管理制御部、１８３…サービスデータ管理情報記憶部、１８４…サービスデータ記憶部、１８５…情報制御部、１８６…接触インタフェース、１８７…非接触インタフェース、１８８…アンテナ部
【図１】
2007267207.tif 000003
【図２】
2007267207.tif 000004
【図３】
2007267207.tif 000005
【図４】
2007267207.tif 000006
【図５】
2007267207.tif 000007
【図６】
2007267207.tif 000008
【図７】
2007267207.tif 000009
【図８】
2007267207.tif 000010
【図９】
2007267207.tif 000011
【図１０】
2007267207.tif 000012
【図１１】
2007267207.tif 000013